(57)【要約】      （修正有）【課題】ダブルポケット付きファイルに収納した書類等がファイルを開いた時に中央に飛び出して混ざり合わないようにするとともに、ファイルの側面から書類等が飛び出すことのないダブルポケット付ファイルを提供する。【解決手段】従来は対面するように設けられたポケットの開口部の向きを同方向にした。これにより、ファイルを開いた時にポケットに収納した書類等が中央に飛び出して混ざり合わないようになった。さらに、ファイル側面の一部を折り返してファイル側面の開口部を塞ぐようにしたため、側面から書類等が飛び出すことがなくなった。利き手を考慮して、右利き手用にはポケット開口部の方向を右と上部に、側面からの書類等の飛び出し防止用の折り返しを左に設けた。左利き手用にはポケット開口部の方向を左と上部に、側面からの書類等の飛び出し防止用の折り返しを右に設けた。【選択図】図３
0003142699.tif 000002
【実用新案登録請求の範囲】
【請求項１】
ファイルに設けたポケットの開口部を同方向にすることにより、ファイルを開いた時に、ポケットに収納した書類等がファイル中央によって混ざらないようにしたダブルポケットファイル。
【請求項２】
ファイル側面の一部を折り返して、側面開口部を塞ぐことにより、側面から書類等が飛び出さないようにしたポケットファイル。
【請求項３】
利き手を考慮して、ポケット開口部の方向とファイル側面からの書類等の飛び出し防止用の折り返しを設けたポケットファイル。
【考案の詳細な説明】
【技術分野】
【０００１】    本考案はポケットの開口部を同方向にするとともに、ファイル側面の一部を折り返して側面からの飛び出しを防止し、さらにそれらの仕様が利き手によって使いやすいようにデザインしたダブルポケットファイルに関するものである。
【背景技術】
【０００２】  従来のダブルポケットファイルはポケットの開口部が対面しており、仕様は一様だった。また、ファイル側面には書類等の飛び出し防止策は施されていなかった。
【考案の開示】
【考案が解決しようとする課題】
【０００３】  従来のダブルポケットファイルは、開口部が対面するように設置されていたので、ファイルを開くと、ポケットに収納した書類等がファイルの中央に飛び出して、混ざり合ってしまった。また、側面の開口部を下にすると、収納した書類などが飛び出してしまった。これらの欠点を解決しようとすると同時に、さらに使いやすくするために、利き手による仕様も考慮しようとするものである。
【課題を解決するための手段】
【０００４】本考案は、ファイルに設けた２つのポケットの開口部を同方向にすることにより、ファイルを開いた時に、ポケットに収納した書類等がファイルの中央に飛び出して混ざらないようにするとともに、ファイル側面の一部を折り返して側面の開口部を塞いで、ファイル側面から書類などが飛び出さないようにした。また、利き手によって使いやすいように、ポケットの開口部の方向と書類等の飛び出し防止用のファイルの折り返しの部分をデザインした。
【考案の効果】
【０００５】上述の様に、２つのポケットの開口部を対面ではなく同方向にしたため、ファイルを開けてもポケットに収納した書類等が中央に飛び出して混ざり合うことがなくなる。さらに、ファイル側面の一部を折り返して側面の開口部を塞ぐため、側面からの書類などの飛び出しを防止できる。また、利き手を考慮して、ポケット開口部の方向とファイル側面を塞ぐ折り返しを設置するので、書類などの収納が容易になる。
【考案の実施するための最良の形態】
【０００６】２つのポケットの開口部を同方向にする。ファイル側面の片側を折り返して、ファイル側面の開口部を塞ぐ。ポケット開口部の方向および側面の折り返しの位置は利き手を考慮したものとして、右利き手用にはポケット開口方向を右と上部に、側面の折り返しを右に設ける。左利き手用はポケット開口方向を左と上部に、側面の折り返しを左に設ける。
【実施例】
【０００７】以下、添付図面に従って一実施例を説明する。１は左利き手用に設けたポケットで、２はそこに設けられた開口部（左と上部）である。３は右利き手用に設けたポケットで、４はそこに設けられた開口部（右と上部）である。それぞれのポケットの開口方向は利き手で書類を持った時に出し入れしやすい仕様とした。書類などはそれぞれのポケットに収納する。５はファイル側面からの書類の飛び出し防止用のガードで、左利き手用である。６は右利き手用のファイル側面からの書類の飛び出し防止用のガードである。ファイルを閉じて飛び出し防止ガードで開口部を塞ぐことにより、側面からの書類等の飛び出しを防止する。
【図面の簡単な説明】
【０００８】
【図１】考案したファイルを開いた図である。ポケットの開口部を左と上部に設けた場合のファイルを開いた図である。
【図２】考案したファイルを開いた図である。ポケットの開口部を右と上部に設けた場合のファイルを開いた図である。
【図３】考案したファイルを開いた図である。ポケットの開口部を左と上部に、飛び出し防止用ガードを左側面に設けた場合のファイルを開いた図である。
【図４】考案したファイルを開いた図である。ポケットの開口部を右と上部に、飛び出し防止用ガードを右側面に設けた場合のファイルを開いた図である。
【図５】考案したファイルを閉じた図である。ポケットの開口部を左と上部に、飛び出し防止用ガードを左側面に設けた場合のファイルを閉じた図である。
【図６】考案したファイルを閉じた図である。ポケットの開口部を右と上部に、飛び出し防止用ガードを右側面に設けた場合のファイルを閉じた図である。
【図７】考案したファイルを開いた図である。ポケットの開口部を左と上部に、飛び出し防止用ガードを右側面に設けた左利き手用の場合のファイルを開いた図である。
【図８】考案したファイルを開いた図である。ポケットの開口部を右と上部に、飛び出し防止用ガードを左側面に設けた右利き手用の場合のファイルを開いた図である。
【図９】考案したファイルを閉じた図である。ポケットの開口部を左と上部に、飛び出し防止用ガードを右側面に設けた左利き手用の場合のファイルを閉じた図である。
【図１０】考案したファイルを閉じた図である。ポケットの開口部を右と上部に、飛び出し防止用ガードを左側面に設けた右利き手用の場合のファイルを閉じた図である。
【符号の説明】
【０００９】１  同方向に設けた開口部
２  書類等を収納するポケット
３  飛び出し防止用ガード
【図１】
0003142699.tif 000003
【図２】
0003142699.tif 000004
【図３】
0003142699.tif 000005
【図４】
0003142699.tif 000006
【図５】
0003142699.tif 000007
【図７】
0003142699.tif 000008
【図８】
0003142699.tif 000009
【図９】
0003142699.tif 000010
【図１０】
0003142699.tif 000011
【手続補正書】
【提出日】平成20年3月19日(2008.3.19)
【手続補正１】
【補正対象書類名】実用新案登録請求の範囲
【補正対象項目名】全文
【補正方法】変更
【補正の内容】
【実用新案登録請求の範囲】
【請求項１】
ファイルに設けたポケットの開口部を同方向にすることにより、ファイルを開いた時に、ポケットに収納した書類等がファイル中央によって混ざらないようにしたダブルポケットファイル。
【請求項２】
ファイル側面の一部を折り返して、側面開口部を塞ぐことにより、側面から書類等が飛び出さないようにしたことを特徴とする、請求項１記載のダブルポケットファイル。
【請求項３】
利き手を考慮して、ポケット開口部の方向とファイル側面からの書類等の飛び出し防止用の折り返しを設けたことを特徴とする、請求項１記載のダブルポケットファイル。
【手続補正２】
【補正対象書類名】図面
【補正対象項目名】図５
【補正方法】変更
【補正の内容】
【図５】
0003142699.tif 000012
【手続補正３】
【補正対象書類名】図面
【補正対象項目名】図６
【補正方法】変更
【補正の内容】
【図６】
0003142699.tif 000013